(57)【要約】  【課題】写真フィルムに撮影された画像がパノラマ撮影か否かを判定する際に、通常撮影をパノラマ撮影と誤判定することなく、パノラマ撮影を判定する方法を提供する。  【解決手段】通常の撮影では画像が撮影されかつパノラマ撮影では画像が撮影されない領域で濃度測定を行い、所定値以上の濃度を有する領域を検出して、領域の大きさに濃度値を乗算して、この乗算結果を用いて領域に画像が或るか否かを判定して、画像が無いと判定出来た画像をパノラマ撮影と判定することにより、前記課題を解決する。【選択図】図２
2006251655.tif 000002
【特許請求の範囲】
【請求項１】
写真フィルムに撮影された画像が、パノラマ撮影による画像か否かを判定するパノラマ判定方法であって、
通常の撮影では画像が撮影されかつパノラマ撮影では画像が撮影されない領域で濃度測定を行い、所定値以上の濃度を有する領域を検出して、領域の大きさに濃度値を乗算して、この乗算結果を用いて前記領域に画像が或るか否かを判定して、画像が無いと判定出来た画像をパノラマ撮影と判定することを特徴とするパノラマ判定方法。
【請求項２】
写真フィルムの長手方向にセンサと写真フィルムとを相対的に移動しつつ、フィルムの幅方向のパノラマ撮影領域の外側の少なくとも一方の１点において、フィルムの長手方向に１画像に対応する前記濃度測定を行い、この測定結果を用いて前記領域の検出を行う請求項１に記載のパノラマ判定方法。
【請求項３】
前記領域の検出に先立ち、予め設定した固定値を前記濃度測定結果から減算する請求項１または２に記載のパノラマ判定方法。
【請求項４】
前記乗算結果を数値毎に加算した累積ヒストグラムを作成し、その形状から前記領域に画像が或るか否かを判定する請求項１〜３のいずれかに記載のパノラマ判定方法。
【請求項５】
前記濃度測定を、パノラマ撮影の撮影領域をフィルムの幅方向に挟む両側で行い、両側共に画像が無いと判定できた場合に、その画像がパノラマ撮影であると判定する請求項１〜４のいずれかに記載のパノラマ判定方法。
【請求項６】
画像が撮影された写真フィルムの或る目的領域に画像が有るか否かを判定するに際し、
前記目的領域において濃度測定を行い、所定値以上の濃度を有する領域を検出して、領域の大きさに濃度値を乗算して、この乗算結果を用いて前記目的領域に画像が或るか否かを判定することを特徴とする画像判定方法。
【請求項７】
写真フィルムの長手方向にセンサと写真フィルムとを相対的に移動しつつ、前記目的領域に対応するフィルムの幅方向の１点において、フィルムの長手方向に１画像に対応する前記濃度測定を行い、この測定結果を用いて前記領域の検出を行う請求項６に記載の画像判定方法。
【請求項８】
前記領域の検出に先立ち、予め設定した固定値を前記濃度測定結果から減算する請求項６または７に記載の画像判定方法。
【請求項９】
前記乗算結果を数値毎に加算した累積ヒストグラムを作成し、その形状から前記目的領域に画像が或るか否かを判定する請求項６〜８のいずれかに記載の画像判定方法。
【発明の詳細な説明】
【技術分野】
【０００１】
本発明は、写真フィルムに撮影された画像がパノラマ撮影か否かを判定するパノラマ判定方法、および、写真フィルムの或る領域に画像が存在するか否かを判定する画像判定方法に関する。
【背景技術】
【０００２】
通常のＬサイズと同じ幅で、Ｌサイズの倍の長さを有する、いわゆるパノラマサイズの（写真）プリントが知られている。
最も汎用されている１３５サイズのネガフィルムを用いた撮影で、パノラマサイズの写真撮影（パノラマ撮影）を行う場合には、フィルムの幅方向の上部および下部の所定領域をマスク等で遮光して、撮影を行うことにより、フィルムにパノラマサイズのプリントに対応する縦横比（アスペクト比）を有する画像を撮影する。
【０００３】
一方、写真プリンタでは、例えば、デジタルのフォトプリントシステムであれば、同様に撮影時に遮光した領域をマスク等で遮光して、フィルムの投影光をＣＣＤセンサ等のイメージセンサで読み取り、あるいは、マスキングをしないで１コマの全面を読み取り、パノラマ撮影で画像を撮影された領域を切り出す。このようにして得られたパノラマ撮影の画像データに所定の画像処理を施して露光用の画像データとし、この画像データに応じてパノラマサイズの印画紙を露光し、現像処理および乾燥を行って、パノラマプリントとして出力する。
また、通常のアナログ（直接露光）の写真プリンタでは、同様に撮影時に遮光した領域をマスク等で遮光して、フィルムの投影光を印画紙に結像して、露光する。
【０００４】
写真プリンタにおいて、適正なプリントを作成するためには、フィルムに撮影された画像がパノラマ撮影（以下、便宜的にパノラマコマとする）か、通常の撮影か（同、フルコマとする）かを判定して、プリント作成を行う必要がある。このパノラマコマかフルコマかの判定は、通常、フィルムの濃度（透過光量）を測定することにより行われる。
前述のように、パノラマコマは、フィルムの幅方向の上下を遮光して撮影が行われるので、この領域は、何も撮影されない低濃度（フィルムのベース濃度）となる。これに対し、フルコマでは、１コマ分の全域（いわゆるフルサイズ）に画像（被写体）が撮影されるので、この領域も、撮影画像に応じた濃度に発色する。
従って、この領域のフィルムの濃度を調べ、この領域がある程度の濃度に発色していれば、画像が存在していると考えられ、すなわちフルコマと判定することができ、逆に、この領域に何の発色も無く、全域がベース濃度に近ければ、パノラマコマと判定できる。
【発明の開示】
【発明が解決しようとする課題】
【０００５】
ところが、フルコマであっても、暗所で撮影を行った画像など、いわゆるアンダーネガの場合には、画像は非常に低濃度で記録される。そのため、このようなアンダーネガでは、前述のパノラマ撮影では遮光される領域に、ベース濃度に近い状態で画像が撮影されている場合が有る。
このような場合には、濃度測定によって被写体の存在の認識をすることが困難であり、パノラマ撮影での遮光領域内に画像が写っているフルコマであっても、パノラマコマと誤判定してしまう場合が有り、その結果、仕上がったプリントが不適正プリント（ＮＧプリント）となってしまう。
【０００６】
本発明の目的は、前記従来技術の問題点を解決することにあり、ネガフィルム等に撮影された画像（コマ）が、通常撮影の画像かパノラマ撮影の画像かを判定するに際し、通常撮影された画像において、パノラマ撮影では画像（被写体）が有り得ない領域に、画像が有ることを確実に検出し、通常撮影の画像をパノラマ撮影と誤判定することを防止できるパノラマ判定方法、および、ネガフィルム等の或る領域に画像が有るか否かを判定する画像判定方法を提供する。
【課題を解決するための手段】
【０００７】
前記課題を解決するために、本発明のパノラマ判定方法は、写真フィルムに撮影された画像が、パノラマ撮影による画像か否かを判定するパノラマ判定方法であって、通常の撮影では画像が撮影されかつパノラマ撮影では画像が撮影されない領域で濃度測定を行い、所定値以上の濃度を有する領域を検出して、領域の大きさに濃度値を乗算して、この乗算結果を用いて前記領域に画像が或るか否かを判定して、画像が無いと判定出来た画像をパノラマ撮影と判定することを特徴とするパノラマ判定方法を提供する。
【０００８】
このような本発明のパノラマ判定方法において、写真フィルムの長手方向にセンサと写真フィルムとを相対的に移動しつつ、フィルムの幅方向のパノラマ撮影領域の外側の少なくとも一方の１点において、フィルムの長手方向に１画像に対応する前記濃度測定を行い、この測定結果を用いて前記領域の検出を行うのが好ましく、また、前記領域の検出に先立ち、予め設定した固定値を前記濃度測定結果から減算するのが好ましく、また、前記乗算結果を数値毎に加算した累積ヒストグラムを作成し、その形状から前記領域に画像が或るか否かを判定するのが好ましく、さらに、前記濃度測定を、パノラマ撮影の撮影領域をフィルムの幅方向に挟む両側で行い、両側共に画像が無いと判定できた場合に、その画像がパノラマ撮影であると判定するのが好ましい。
【０００９】
また、本発明の画像判定方法は、画像が撮影された写真フィルムの或る目的領域に画像が有るか否かを判定するに際し、前記目的領域において濃度測定を行い、所定値以上の濃度を有する領域を検出して、領域の大きさに濃度値を乗算して、この乗算結果を用いて前記目的領域に画像が或るか否かを判定することを特徴とする画像判定方法を提供する。
【００１０】
このような本発明の画像判定方法において、写真フィルムの長手方向にセンサと写真フィルムとを相対的に移動しつつ、前記目的領域に対応するフィルムの幅方向の１点において、フィルムの長手方向に１画像に対応する前記濃度測定を行い、この測定結果を用いて前記領域の検出を行うのが好ましく、また、前記領域の検出に先立ち、予め設定した固定値を前記濃度測定結果から減算するのが好ましく、さらに、前記乗算結果を数値毎に加算した累積ヒストグラムを作成し、その形状から前記目的領域に画像が或るか否かを判定するのが好ましい。
【発明の効果】
【００１１】
上記構成を有する本発明によれば、ネガフィルム等に撮影された画像が通常撮影かパノラマ撮影かを判定する際のパノラマ撮影では画像が撮影されない領域や、ネガフィルム等の或る目的領域において、画像（被写体）が存在する場合に、その事を確実に検出することができる。従って、たとえ、暗所で行った通常撮影の画像（いわゆるアンダーネガ）であっても、これをパノラマ撮影の画像と判定することがなく、すなわち、通常撮影の画像をパノラマ撮影であると誤判定することを確実に防止できる。
【発明を実施するための最良の形態】
【００１２】
以下、本発明のパノラマ判定方法および画像判定方法について、添付の図面に示される好適実施例を基に、詳細に説明する。
【００１３】
図１に、本発明のパノラマ判定方法を行うフィルムキャリアの一部を概念的に示す。
フィルムキャリア１０は、デジタルフォトプリンタの入力機（スキャナ）や、アナログの写真プリンタに装着され、装填されたフィルムＮ（１３５フィルム）を、１画像分（１コマ）ずつ長手方向（図中矢印ａ方向）に断続的に搬送して、１コマずつ、順次、所定の読取位置（投影露光位置）に位置するものである。
【００１４】
図示例において、フィルムキャリア１０（以下、キャリア１０とする）は、案内溝１２と、本発明のパノラマ判定方法を実施するための第１センサ１４および第２センサ１６を有する。
なお、キャリア１０には、これ以外にも、フィルムＮの搬送手段、読取位置でのフィルムＮの押圧手段、フィルムＮのベース濃度を測定するための濃度センサ等、公知のフィルムキャリアが有する各種の構成要素を有している。
【００１５】
以下、便宜的に、通常撮影されたコマ（（基本的に）１３５サイズの２４×３６ｍｍの全領域に撮影されたフルサイズの画像（コマ））をフルコマＦ；  パノラマ撮影された画像（パノラマプリントに応じて前記全領域の幅方向上下を遮光して撮影された画像）をパノラマコマＰ；  フィルムＮ上の１コマにおいて、パノラマ撮影では遮光される領域をパノラマ領域；  として、説明する。
すなわち、パノラマ領域は、フルコマＦでは画像（被写体）が撮影され、パノラマコマＰでは、画像が撮影されない領域である。
【００１６】
案内溝１２は、フィルムＮを長手方向に案内するものであり、フィルムＮの幅に応じた幅を有し、かつ、キャリア１０によるフィルムＮの搬送方向に延在する溝である。
【００１７】
第１センサ１４および第２センサ１６は、共に、各種のデジタルフォトプリンタ等で用いられる、通常のフィルムＮの透過光量センサ（すなわち濃度センサ）である。
当然のことであるが、パノラマ領域は、１コマでは、パノラマ撮影によって画像が撮影される領域をフィルムＮの幅方向に挟んで、２個所に形成される。第１センサ１４は、このパノラマ領域の一方に、第２センサは、このパノラマ領域の他方に、共に、案内溝１２によるフィルムＮの搬送経路に対応して配置される。
【００１８】
キャリア１０において、前記読取位置は、フィルムＮの搬送方向（矢印ａ方向）の第１センサ１４および第２センサ１６の下流側に配置される。
前述のように、キャリア１０は、１コマ分ずつ、断続的にフィルムＮ搬送することにより、フィルムＮに撮影された各コマを、順次、読取位置に搬送する。第１センサ１４および第２センサ１６は、この搬送時に、対応するパノラマ領域の幅方向の１点において、１コマ毎に、長手方向の全域のフィルムＮの透過光量（以下、光量とする）を測定する。すなわち、各コマは、読取位置への搬送に先立ち、第１センサ１４および第２センサ１６によって光量を測定されて、パノラマコマか否かを判定される。
【００１９】
図示例においては、好ましい態様として、１つのセンサによる１点（センサによる１画素）のコマ長手方向の光量測定結果を用いて、パノラマコマＰか否かの判定（後述する画像の有無の判定）をする。本発明の判定方法によれば、このような少ない量のデータからでも、フルコマＦをパノラマコマＰと判定する誤判定を防止できる。言い換えれば、本発明を利用し、かつ、このような構成とすることにより、メモリ領域の使用量低減、演算量の低減、演算処理速度の向上、コスト低減等を図ることができる。
なお、本発明は、これに限定はされず、より高精度な判定を要求される場合等、必要に応じて、１つのパノラマ領域の複数点で濃度測定を行ってもよい。
【００２０】
また、この１コマに対応するフィルム長手方向の光量測定領域（長さ）は、精度等の点で、１３５フィルムのコマサイズの長手方向の全域（３６ｍｍ）の全域で行うのが好ましいが、本発明は、これ限定はされず、この光量測定領域は、センサ（１４および１６）の感度や経験的な知見等に応じて、適宜、設定すればよい。
【００２１】
図示例においては、この第１センサ１４および第２センサ１６の光量測定結果を用いて、このコマがパノラマコマＰであるか否かを判定する。
以下、図２のフローチャートを参照して、本発明のパノラマ判定方法について、詳細に説明する。
【００２２】
このパノラマ判定においては、まず、図２（Ａ）に示すように、第１センサ１４および第２センサ１６による光量測定結果の、それぞれの平均光量を求める。
次いで、前処理的な判定として、この平均光量と、フィルムのベース光量（フィルムの未撮影領域の（透過）光量）との差を見て、第１センサ１４の平均光量とベース光量との差、および、第２センサ１６の平均光量とベース光量との差の、どちらか一方でも所定の閾値よりも大きいコマ［Ｎ］は、不明コマと判定する。
なお、フィルムＮのベース光量は、各種の写真プリンタ等で行われている公知の方法で検出すればよい。
【００２３】
パノラマ領域の光量（＝濃度）とベース光量（＝ベース濃度）とが離れていれば、パノラマ領域に、何らかの画像が写っている可能性が高く、すなわち、パノラマコマＰでは無い可能性が高い。本例においては、このように前処理的な判定で、パノラマコマＰである可能性が低いコマを後段の詳細な判定対象から除く。但し、このコマが、絶対にパノラマコマＰでは無い、すなわち絶対にフルコマＦであるとは断定できないので、本例では不明コマと判定している。
なお、この判定において、不明コマと判定する閾値（平均光量とベース光量との差）は、実験や経験等に応じて、適宜、設定すればよい。
【００２４】
このようにして、第１センサ１４および第２センサ１６の平均光量とベース光量との差が、閾値よりも小さい［Ｙ］と判定されたコマは、次いで、図２（Ａ）のフローチャートに示すように、第１センサ１４による光量測定結果について、第１センサ画像あり／なし判定を行う。
この第１センサ画像あり／なし判定のフローチャートを図２（Ｂ）に示す。なお、このフローチャート（すなわち、画像あり／なし判定）は、第２センサ１６による光量測定結果についても、全く同様である。
【００２５】
図２（Ｂ）に示すように、まず、第１センサ１４による光量測定結果から、フィルムのベース光量を減算して、ベース光量との差マップを作成する。
図３に、光量測定結果の一例を、図４に、ベース光量との差マップの一例を、それぞれ示す。なお、図３および図４において、横軸は、１３５フィルムの１コマの長手方向の位置［ｍｍ］で、縦軸は、光量測定の信号値（＝光量）である。また、点線はフルコマＦで、実線はパノラマコマＰの測定結果である。
【００２６】
前述のように、画像が撮影された光量は、ベース光量よりも光量が低い（すなわち、濃度が高い）。従って、ベース光量との差が開いている部分は、何らかの画像（被写体）が撮影されている領域と考えられる。
【００２７】
なお、本発明においては、ベース光量に変えて、第１センサ１４による測定光量の平均光量を用い、第１センサ１４による光量測定結果から、この平均光量を減算してなる平均光量の差マップを作成して、以下と同様の処理を行ってもよい。
ここで、平均光量とベース光量とは、一致しない。しかしながら、平均光量とベース光量との差が大きいコマは、光量測定値がノイズ以外の要因で大きく変動する、パノラマ領域に画像を有するコマである。従って、これらのコマでは、平均光量をベース光量の代わりに用いても、結果的に、「パノラマ領域に画像有り」と判定される結果となり、本発明の最大の目的である、フルコマＦをパノラマコマＰと判定してしまう誤検出の防止という目的は、達成できる。
【００２８】
次いで、ベース光量との差マップから、予め設定した固定値を減算し、この固定値以下の信号値を、全て０にする、ノイズ除去後のベース光量との差マップを作成する。
光量の測定結果は、フィルムＮの外側やパノラマ領域内から漏れてくる光成分も含むものであり、すなわち、ノイズを含んでいる。従って、ノイズに応じた固定値を設定し、この成分を除去することにより、より高精度なパノラマ判定を行うことができる。
図５に、図４のマップからこの固定値（ノイズ）を除去した後の、ノイズ除去後のベース光量との差マップを示す。
【００２９】
この固定値（ノイズの大きさ）は、実験や経験等に応じて、適宜、設定すればよい。
また、ノイズの大きさは、フィルムの濃度が低くなる（光量が大きくなる）ほど大きくなるので、光量（例えば、平均光量）等に応じて、固定値を変えてもよい。
【００３０】
このノイズ除去後のベース光量との差マップから、連続長マップを作成する。
連続長マップとは、ノイズ除去後のベース光量との差マップにおいて、信号値が０では無い値が２つ以上連続して出現している領域を知見し、この領域における連続長（０以外の値が連続する個数（測定点数））を書き込んだものである。
図６に、図５のマップから作成した連続長マップを示す。すなわち、このコマでは、例えば矢印ｂで示す領域に、信号値が０では無い点が９個連続している（１個立ち上がった後に、９個連続している）。
【００３１】
次いで、この連続長マップに、各位置におけるベース光量との差の絶対値を乗算したマップを作成する（連続長×｜ベース光量との差｜マップの作成）。
図７に、図６の連続長マップから作成した、連続長×｜ベース光量との差｜マップを示す。
【００３２】
その後、横軸に「連続長×｜ベース光量との差｜」の各位置の信号値（一例として、８bitで０〜２５５）に対して、作成した連続長マップの同じ位置の信号値の頻度を累積（累積数［％｝）した累積ヒストグラムを作成する（連続長×｜ベース光量との差｜ヒスト作成）。
図８に、図７の連続長×｜ベース光量との差｜マップから作成した、連続長×｜ベース光量との差｜の累積ヒストグラムを示す。
【００３３】
さらに、この累積ヒストグラムの形状から、第１センサ１４が対応するパノラマ領域に、画像（被写体）が有るか否かを判定する（画像あり／なし判定）。
この判定方法には特に限定はなく、例えば、信号値が低い領域の傾きを見る方法や、所定の信号値における値が所定値以上の場合には、このパノラマ領域には画像が有り、それ以外は画像が無いと判定する方法等、各種の方法が利用可能である。このような判定方法は、実験や経験等に応じて、適宜、決定すればよい。
【００３４】
フィルムＮ上において、画像が有る領域（被写体の存在する領域）は、ある程度の大きさを持つ連続した領域であることが多い。従って、いわゆるアンダーネガのフルコマＦであれば、パノラマ領域には、ある程度の大きさを持つ低濃度領域（ベース濃度よりも、若干、高濃度の領域）を有する場合が多い。
すなわち、パノラマ領域において、ある程度の大きさの領域を検出すると共に、この領域に、その濃度値を乗算することにより、低い濃度（低光量）であっても、大きな信号値として扱うことができる。そのため、たとえアンダーネガであっても、この領域に画像が存在することを判定することができる。
従って、本発明によれば、アンダーネガのフルコマＦであっても、パノラマ領域に画像があることを確実に知見することができ、フルコマＦをパノラマコマＰと判定する誤判定を、確実に防止できる。
【００３５】
第１センサ１４が対応するパノラマ領域の画像あり／なし判定が終了したら、次いで、第２センサ１６による測定結果を用いる以外には、全く同様にして、第２センサ１６が対応するパノラマ領域の画像あり／なし判定を行う。
【００３６】
さらに、第１センサ１４が対応するパノラマ領域の画像あり／なし判定の結果、および、第２センサ１６が対応するパノラマ領域の画像あり／なし判定の結果に応じて、両者共に画像が無い（Ｙ）と判定されたコマはパノラマコマＰと判定し、それ以外（Ｎ）のコマは不明コマと判定する。
なお、不明コマと判定するのは、先と同様の理由による。
【００３７】
以上の例は、濃度測定をパノラマ領域で行い、この領域に画像が有るか無いかによって、このコマがパノラマコマＰか不明コマかを判定した。
これに対し、本発明の画像判定方法は、同様の濃度測定を各コマ（写真フィルム）の或る目的領域（所望の領域）で行い、同様にして画像あり／なし判定を行うことにより、この目的領域に画像が有るか無いかの判定を行うものである。
【００３８】
以上、本発明のパノラマ判定方法および画像判定方法について詳細に説明したが、本発明は、上記実施例に限定はされず、本発明の要旨を逸脱しない範囲において、各種の改良および変更を行ってもよいのは、もちろんである。
【００３９】
例えば、図示例においては、好ましい態様として、累積ヒストグラムを作成して、その形状から、パノラマ領域における画像の有無を判定したが、本発明は、これに限定はされず、例えば、その１段前の連続長×｜ベース光量との差｜マップの形状（幾つ以上の信号値が有るなど）から、画像の有無を検出してもよい。
【図面の簡単な説明】
【００４０】
【図１】本発明のパノラマ判定方法を利用するキャリアの一部の概略図である。
【図２】（Ａ）および（Ｂ）は、本発明のパノラマ判定方法を説明するためのフローチャートである。
【図３】本発明のパノラマ判定方法を説明するためのグラフである。
【図４】本発明のパノラマ判定方法を説明するためのグラフである。
【図５】本発明のパノラマ判定方法を説明するためのグラフである。
【図６】本発明のパノラマ判定方法を説明するためのグラフである。
【図７】本発明のパノラマ判定方法を説明するためのグラフである。
【図８】本発明のパノラマ判定方法を説明するためのグラフである。
【符号の説明】
【００４１】
１０  キャリア
１２  案内溝
１４  第１センサ
１６  第２センサ
【図１】
2006251655.tif 000003
【図２】
2006251655.tif 000004
【図３】
2006251655.tif 000005
【図４】
2006251655.tif 000006
【図５】
2006251655.tif 000007
【図６】
2006251655.tif 000008
【図７】
2006251655.tif 000009
【図８】
2006251655.tif 000010